(57)【要約】【課題】商品のイメージを高めるというパッケージとしての本来の特徴を失うことなく、また、手間をかけることなく好みのデザインを選択でき、安価で容易に香りを楽しむことができるようにする。【解決手段】内部に芳香剤５を収容して一端部を開放された第１容器１と、この第１容器１に対向する側の一端部を開放されて第１容器１の外側に摺動自在に嵌合する第２容器２と、第１容器１および第２容器２のそれぞれの周面に形成された複数の通気孔３、４とを備え、表側となる第２容器２の外周面にはパッケージ意匠６が施されている。【選択図】　図１
0003097825.tif 000002
【実用新案登録請求の範囲】
【請求項１】
内部に芳香剤を収容して一端部を開放された第１容器と、前記第１容器に対向する側の一端部を開放されて前記第１容器に摺動自在に嵌合する第２容器と、前記第１容器と第２容器のそれぞれの周面に形成された複数の通気孔とを備え、前記第１容器または第２容器のうちの外側に表出する周面にパッケージ意匠が施されていることを特徴とする芳香剤パッケージ。
【請求項２】
前記第１容器および第２容器の周面にそれぞれ形成された係脱可能な環状の凹凸係合部を備えた請求項１記載の芳香剤パッケージ。
【請求項３】
前記第１容器または第２容器の通気孔を塞ぐ剥離可能なシールを備えた請求項１または２記載の芳香剤パッケージ。
【請求項４】
前記第１容器および第２容器の互いの嵌合を一時的に固定する仮止め手段を備えた請求項１または２記載の芳香剤パッケージ。
【考案の詳細な説明】
【０００１】
【考案の属する技術分野】
本考案は、芳香商品のパッケージ自体が芳香用容器として使用可能な芳香剤パッケージに関する。
【０００２】
【従来の技術】
従来、芳香商品は、芳香剤をパッケージにより包装した状態で販売されている。このパッケージは、商品イメージを高めて、購買意欲を刺激したり、増大させたりするためのほか、使用前に芳香剤から香気が発散されるのを防止するためのものである。したがって、芳香商品を購入して使用する際には、芳香剤をパッケージから取り出して、専用容器に移し替える必要がある。
【０００３】
芳香商品には、別の形態として芳香剤と芳香容器とが一体化されたものがあり、使用時には芳香容器内部を開放して芳香を生じさせるものや、通気孔を有する付属物に付け替えることにより芳香を生ずるものがある。
【０００４】
【考案が解決しようとする課題】
しかしながら、従来の芳香商品は、芳香商品を購入して使用する際に、芳香剤をパッケージから取り出して専用容器に移し替える必要があり、その結果、パッケージはその役目を終え、同時にパッケージに与えられた高い宣伝効果もそこで失われる。また、芳香剤と芳香容器とが一体化された芳香商品には、説明を読んでからでないと使用方法が分からない場合があり、使用時に手間がかかり、さらに芳香剤と芳香容器が一体化されているために、自由に芳香容器を選択使用することができず、価格も高いという問題があった。
【０００５】
本考案は、このような従来の問題を解決するものであり、商品のイメージを高めるというパッケージとしての本来の特徴を失うことなく、また、手間をかけることなく好みのデザインを選択でき、安価で容易に香りを楽しむことができる芳香剤パッケージを提供することを目的とする。
【０００６】
【課題を解決するための手段】
本考案は、上記目的を達成するために、芳香商品のパッケージを容器として使用すると共に、パッケージの外観意匠により商品のイメージを高めるようにしたものである。これにより、安価で容易に香りを楽しめ、室内装飾性の高い芳香商品を実現することができる。
【０００７】
【考案の実施の形態】
本考案による芳香剤パッケージは、内部に芳香剤を収容して一端部を開放された第１容器と、この第１容器に対向する側の一端部を開放されて第１容器に摺動自在に嵌合する第２容器と、第１容器と第２容器のそれぞれの周面に形成された複数の通気孔とを備え、第１容器または第２容器のうちの外側に表出する周面にパッケージ意匠が施されていることを特徴とする。この構成により、芳香剤パッケージのパッケージ意匠により商品のイメージを高めることができると共に、第１容器と第２容器の通気孔を互いに合わせることにより、第１容器内部の芳香剤の香りを外部に発散させることができ、安価で容易に香りを楽しむことができる。また、第１容器から第２容器を外して内部の芳香剤を取り出して別の芳香剤に交換可能であり、また、異なるパッケージ意匠を用意することにより、客はパッケージ意匠を自由に選択することが可能であり、インテリア関連商品としての付加価値を高めることができる。
【０００８】
また、本考案による芳香剤パッケージは、第１容器および第２容器の周面にそれぞれ形成された係脱可能な環状の凹凸係合部を備えたものである。この構成により、第１容器と第２容器の嵌合を気密にして、非使用時の芳香剤の容器からの発散を防止することができる。
【０００９】
また、本考案による芳香剤パッケージは、第１容器または第２容器の通気孔を塞ぐ剥離可能なシールを備えたものである。この構成により、非使用時の芳香剤の容器からの発散を防止することができる。例えば、芳香剤パッケージが商品として陳列されている際に、客が好奇心により第１容器と第２容器の通気孔を合わせても芳香剤の発散を防止することができる。
【００１０】
また、本考案による芳香剤パッケージは、第１容器および第２容器の互いの嵌合を一時的に固定する仮止め手段を備えたものである。この構成により、非使用時の芳香剤の容器からの発散を防止することができる。例えば、芳香剤パッケージが商品として陳列されている際に、客が好奇心により第１容器と第２容器とを互いに回動させようとしても動かないので、通気孔を合わせることができず、通気孔からの芳香剤の発散を防止することができる。
【００１１】
【実施例１】
図１は本考案による芳香剤パッケージの第１の実施例を示している。内部にポプリやソープ、フレグランスオブジェまたはフレグランスオイルを染み込ませたパッドなどの芳香剤５を収容して一端部を開放された第１容器１と、この第１容器１に対向する側の一端部を開放されて第１容器１の外周に摺動自在に嵌合する第２容器２と、第１容器１および第２容器２のそれぞれの周面に形成された複数の通気孔３、４とを備え、表側となる第２容器２の外周面にはパッケージ意匠６が施されている。
【００１２】
第１容器１および第２容器２は、それぞれポリエチレン樹脂の射出成形により形成されている。図２に示すように、第１容器１は、一端部１ａを密閉され、他端部１ｂを開放して形成される。第２容器２は、一端部２ａを開放され、他端部２ｂを密閉して形成され、その外周面にパッケージ意匠６を施されている。このパッケージ意匠６は、意匠を印刷したシートを第２容器２の外周面に巻き付けるか、貼着したものである。第１容器１の内部に芳香剤５を収容した後、その上に第２容器２を被せ、第１容器１の他端部１ｂが第２容器２の他端部２ｂに衝接した状態で、第１容器１の下部の一部が第２容器２から手指で掴める程度に突出すると共に、第１容器１の通気孔３と第２容器２の通気孔４との位置合わせが可能である。第１容器１と第２容器２の嵌合部は、その嵌合部から芳香が漏れないように、最小の隙間をもって摺動可能に嵌合している。
【００１３】
次に、この芳香剤パッケージの組立方法について説明する。まず第１容器１の中に芳香剤５を収容し、第１容器１の上から第２容器２を被せる。初めの内は、第１容器１および第２容器２内部の空気は通気孔３、４から逃げ、第２容器２の内部に最後まで溜まった空気は、通気孔４を通気孔３に合わせることにより排出される。その後、第１容器１に対して第２容器２を回し、通気孔３と４とが一致しないようにずらしておく。このような状態の芳香剤パッケージが商品として陳列される。
【００１４】
この芳香剤パッケージを購入した客は、まず、第１容器１に対して第２容器２を回して通気孔３と４とを一致させる。これにより、外部と第１容器１の内部とが連通するので、内部の芳香剤５の香気が外部に発散し、香気を楽しむことができる。また、通気孔３と４の重なり具合をずらすことにより、香気の発散量を調整することができる。
【００１５】
【実施例２】
図３は本考案の第２の実施例を示している。本実施例は、上記した第１の実施例において、第１容器１の外周面および第２容器２の内周面にそれぞれ形成された係脱可能な環状の凹凸係合部である環状突起７と環状溝８を備えたものである。これら環状突起７および環状溝８は、第１容器１および第２容器２を成形する際にそれぞれ一体に形成される。第１容器１の下部外周面に形成された環状突起７は、断面が半円形のものであり、第２容器２の下部内周面に形成された環状溝８も、断面が半円形のものであるが、その径は環状突起７の径よりも少しだけ小さい。または、径が同じ場合は、環状突起７の高さを環状溝８の深さよりも少しだけ大きくする。これにより、第１容器１と第２容器２との嵌合が、金型製作を容易にするために、第２容器２を第１容器１から容易に抜ける程度に比較的大きな隙間に設定されている場合でも、環状突起７が環状溝８に密着して気密を保持するので、第１容器１内部の芳香剤５の香気が外部へ漏れるのを防止することができる。なお、環状突起７および環状溝８の断面形状は、半円形の代わりにＵ字形やＶ字形であってもよい。
【００１６】
【実施例３】
図４は本考案の第３の実施例を示している。本実施例は、上記した第１または第２の実施例において、第１容器１または第２容器２の通気孔３または４を塞ぐ剥離可能なシール９を備えたものである。図示のシール９は、第１容器１の複数の通気孔３を全て塞ぐ大きさの１枚の非通気性の樹脂フィルムまたはアルミ箔であり、粘着剤により貼着されている。したがって、この芳香剤のパッケージが商品として陳列されている際に、客が好奇心により第１容器１と第２容器２の通気孔３、４を合わせても、シール９により芳香剤の発散を防止することができる。また、この芳香剤パッケージを購入した客は、シール９が粘着剤により貼着されているので、容易に剥がすことができる。なお、シール９は、通気孔３の裏側から貼着してもよく、第２容器２の通気孔４を表側または裏側から貼着したものでもよい。
【００１７】
【実施例４】
図５は本考案の第４の実施例を示している。本実施例は、上記した第１または第２の実施例において、第１容器１と第２容器２との互いの嵌合を通気孔３、４が合わさらない位置において、一時的に固定する仮止め手段を備えたものである。本実施例における仮止め手段は、第１容器１の外周面下部に形成された円形凸起１０と、第２容器２の内周面下部に形成された円形凹部１１との組み合わせであり、それぞれ第１容器１および第２容器２を成形する際に一体に形成される。芳香剤パッケージが商品として陳列されている際に、円形凸起１０を円形凹部１１に嵌合させておくことにより、例えば、客が好奇心により第１容器１と第２容器２とを互いに回動させようとしても動かないので、通気孔３、４が合わさることがなく、通気孔から芳香剤を発散させることを防止することができる。
【００１８】
本実施例４において、円形凸起１０は、第２容器２の内周面下部に設け、円形凹部１１は、第１容器１の外周面下部に設けてもよい。また、仮止め手段は、上記のような凹凸係合の他に、第１容器１と第２容器２との境目に両者を跨いで貼着された紙シールのような結合手段でもよい。購入者はこの紙シールを剥がすか、破くことにより、第２容器２を第１容器１に対して回動させることができる。
【００１９】
なお、上記の各実施例１、２、３、４においては、第１容器１と第２容器２とを回動させて、通気孔３と４とを合わせて香気を発散させるものであるが、第１容器１と第２容器２とを互いに軸方向または斜め方向にスライドさせて、通気孔３と４を合わせるようにしてもよい。このためには、通気孔３と４の配置位置を相対的に軸方向または斜め方向にずらしておく必要がある。
【００２０】
また、通気孔３および４は、上記の各実施例では円形としたが、図６に示すように、楕円形、三角形、四角形、各種の模り、螺旋状の長穴などの種々の形状を用いることができ、これら各種の形状を組み合わせて使用することもできる。
【００２１】
また、第１容器１および第２容器２の形状は、上記の各実施例では円筒としたが、角筒、円錐筒、角錐筒、球体、直方体、多角体などの種々の形状を用いることができる。また、第１容器１の底部にフランジを設けて安定させるようにしてもよい。
【００２２】
また、パッケージ意匠６は、外観により商品のイメージを高め、内容物である芳香剤と共にブランド商品としての宣伝効果を高め、室内装飾品としても十分に利用価値があるようなデザインが好ましく、数種類のバリエーションを用意しておく。こうすることにより、客は好みのデザインを選択することができるので、新たな顧客を獲得し、販売の増加を図ることができる。
【００２３】
【考案の効果】
以上説明したように、本考案の芳香剤パッケージは、芳香商品のパッケージを容器として使用すると共に、パッケージの外観意匠により商品のイメージを高めるようにしたので、安価で容易に香りを楽しめ、室内装飾性の高い芳香商品を提供することができる。
【図面の簡単な説明】
【図１】本考案の第１の実施例における芳香剤パッケージの斜視図である。
【図２】本考案の第１の実施例における芳香剤パッケージの分解斜視図である。
【図３】本考案の第２の実施例における芳香剤パッケージの分解斜視図である。
【図４】本考案の第３の実施例における芳香剤パッケージの分解斜視図である。
【図５】本考案の第４の実施例における芳香剤パッケージの分解斜視図である。
【図６】本考案の各実施例における通気孔の変形例を示す図である。
【符号の説明】
１　第１容器
２　第２容器
３、４　通気孔
５　芳香剤
６　パッケージ意匠
７　環状突起
８　環状溝
９　シール
１０　円形凸起
１１　円形凹部
【図１】
0003097825.tif 000003
【図２】
0003097825.tif 000004
【図３】
0003097825.tif 000005
【図４】
0003097825.tif 000006
【図５】
0003097825.tif 000007
【図６】
0003097825.tif 000008